(57)【特許請求の範囲】
【請求項１】
建物の外壁下端部に沿って延在する水切取付構造であって、
前記建物の基礎と、
前記基礎から上方に間隔をあけて配置される第１壁部材と、前記第１壁部材よりも外部空間側に配置され、前記第１壁部材よりも下方にまで延びる第２壁部材とを含む外壁と、
前記第１壁部材の下方側に取り付けられる水切取付具と、
前記水切取付具に保持される土台水切と、を備え、
前記水切取付具は、前記第２壁部材側に配置される前方保持部と、前記前方保持部と間隔をあけて設けられる後方保持部と、前記前方保持部および前記後方保持部にそれぞれ設けられる第１係合部とを含み、
前記土台水切は、上下方向に延びる前方立壁部と、前記前方立壁部よりも前記第１壁部材側において、前記前方立壁部と略平行に延びる後方立壁部と、前記前方立壁部の上端部と前記後方立壁部の上端部とを連結して延びる上壁部と、前記前方立壁部および前記後方立壁部にそれぞれ設けられ、前記第１係合部に係合する第２係合部とを含み、
前記第１係合部と前記第２係合部とが係合する係合状態において、前記上壁部は、前記前方保持部と前記後方保持部の間に位置し、前記第１係合部が前記第２係合部の下方に位置することにより、前記土台水切は、前記水切取付具に保持される、水切取付構造。
【請求項２】
前記第２係合部が、前記第１係合部の下方位置より上方位置へ移動することにより、前記係合状態となる、請求項１に記載の水切取付構造。
【請求項３】
前記第１係合部および前記第２係合部は、前記土台水切の延在方向において、少なくともそれらの一部が重なる位置では前記係合状態となり、それらが重ならない位置では非係合状態となる、請求項１または２に記載の水切取付構造。
【請求項４】
前記水切取付具は、前記第１壁部材の下方側に固定され、前記前方保持部および前記後方保持部と連結する固定部材をさらに含む、請求項１〜３のいずれかに記載の水切取付構造。
【請求項５】
前記前方立壁部は前記前方保持部に向かって突出する前記第２係合部を備え、前記後方立壁部は前記後方保持部に向かって突出する前記第２係合部を備える、請求項１〜４のいずれかに記載の水切取付構造。
【請求項６】
前記土台水切は、前記前方立壁部、前記後方立壁部および前記上壁部の一部を覆う覆い部をさらに備え、前記覆い部の下端には、前記第２係合部を備える、請求項１〜４のいずれかに記載の水切取付構造。
【発明の詳細な説明】
【技術分野】
【０００１】
この発明は、建物の外壁下端部における水切取付構造に関する。
【背景技術】
【０００２】
建物の外壁下端部には、床下の換気と雨水の浸入防止のために、基礎の縁に沿って土台水切が設けられている。土台水切は、ビスなどで外壁下地材に直接固定されたり、専用の取付金物を用いて外壁下地材に固定または支持される。
【０００３】
たとえば、特開２０１５−６８０３６号公報（特許文献１）では、土台水切は、外壁下地材に固定された水切取付具に対してボルトを介して支持されている。
【先行技術文献】
【特許文献】
【０００４】
【特許文献１】特開２０１５−６８０３６号公報
【発明の概要】
【発明が解決しようとする課題】
【０００５】
特許文献１の水切取付具では、土台水切はボルトを介して支持されているため、柱の設置角度に関わらず、基礎の縁などの建物の外周部に対して平行に土台水切を取り付けることができる。
【０００６】
しかしながら、このような従来の構造においては、土台水切は、ボルトを介して支持されるものであるため、施工時間がかかっていた。さらに、土台水切が配置される場所には、足場の最下段が配置されることがある。その場合、施工者は、足場の最下段の下で施工する必要があり、施工者への負担は多大なものであった。
【０００７】
本発明は、上記のような課題を解決するためになされたものであって、その目的は、簡易な方法で土台水切を取り付けることが可能な水切取付構造を提供することである。
【課題を解決するための手段】
【０００８】
この目的のため、本発明の一態様に係る水切取付構造は、建物の外壁下端部に沿って延在する水切取付構造であって、建物の基礎と、基礎から上方に間隔をあけて配置される第１壁部材と、第１壁部材よりも外部空間側に配置され、第１壁部材よりも下方にまで延びる第２壁部材とを含む外壁と、第１壁部材の下方側に取り付けられる水切取付具と、水切取付具に保持される土台水切と、を備え、水切取付具は、第１係合部を含み、土台水切は、第１係合部に係合する第２係合部を含み、第１係合部と第２係合部とが係合する係合状態において、第１係合部が第２係合部の下方に位置することにより、土台水切は、水切取付具に保持される。
【０００９】
好ましくは、第２係合部が、第１係合部の下方位置より上方位置へ移動することにより、係合状態となる。
【００１０】
好ましくは、第１係合部および第２係合部は、土台水切の延在方向において、少なくともそれらの一部が重なる位置では係合状態となり、それらが重ならない位置では非係合状態となる。
【００１１】
好ましくは、水切取付具は、第１壁部材の下方側に固定される固定部材と、固定部材に設けられ、上下方向に延びて、土台水切を保持する保持部材とを含み、保持部材は、第２壁部材側に配置される前方保持部と、前方保持部と間隔をあけて設けられる後方保持部とを有し、前方保持部と後方保持部のそれぞれに第１係合部を備える。
【００１２】
好ましくは、土台水切は、上下方向に延び、外気取入口を有する前方立壁部と、前方立壁部の下端部より第２壁部材側に延びる底壁部と、前方立壁部よりも第１壁部材側において、前方立壁部と略平行に延びる後方立壁部と、前方立壁部の上端部と後方立壁部の上端部とを連結して延びる上壁部とを含み、前方立壁部は前方保持部に向かって突出する第２係合部を備え、後方立壁部は後方保持部に向かって突出する第２係合部を備える。
【００１３】
好ましくは、土台水切は、上下方向に延び、外気取入口を有する前方立壁部と、前方立壁部の下端部より第２壁部材側に延びる底壁部と、前方立壁部よりも第１壁部材側において、前方立壁部と略平行に延びる後方立壁部と、前方立壁部の上端部と後方立壁部の上端部とを連結して延びる上壁部とを含み、土台水切は、前方立壁部、後方立壁部および上壁部の一部を覆う覆い部をさらに備え、覆い部の下端には、第２係合部を備える。
【発明の効果】
【００１４】
本発明によれば、簡易な方法で土台水切を取り付けることが可能な水切取付構造を提供することができる。
【図面の簡単な説明】
【００１５】
【図１】本発明の実施の形態に係る水切取付構造を示す断面図である。
【図２】水切取付具を取り出して示す斜視図である。
【図３】土台水切を取り出して示す斜視図である。
【図４】土台水切の一部分を拡大して示す斜視図である。
【図５】図３の矢印Ｖで示す方向から見た正面図である。
【図６】図３の矢印ＶＩで示す方向から見た平面図である。
【図７】図４の矢印ＶＩＩで示す方向から見た断面図である。
【図８】図４の矢印ＶＩＩＩで示す方向から見た断面図である。
【図９】土台水切を水切取付具に取り付ける方法を示す模式図である。
【図１０】水切取付具と土台水切の変形例を示す模式図である。
【図１１】水切取付具の変形例を示す模式断面図である。
【発明を実施するための形態】
【００１６】
本発明の実施の形態について図面を参照しながら詳細に説明する。なお、図中同一または相当部分には同一符号を付してその説明は繰り返さない。
【００１７】
図１を参照して、建物の外壁下端部における換気水切構造は、建物の基礎１と、外壁１０と、水切取付具２と、土台水切４とを備えている。外壁１０は、基礎１上に間隔をあけて配置される第１壁部材１１と、第１壁部材１１よりも外部空間側に配置され、第１壁部材１１よりも下方にまで延びる第２壁部材１２とを含む。第２壁部材１２の下端面１２ａの高さは、基礎１の上面１ａよりも上方であってもよい。本実施の形態において、基礎１の縁は、建物の外周部に沿って真直ぐ延びているものとする。図１において、矢印Ａ１で示す方向を「前後方向」という。なお、前後方向のうち、外部空間（屋外）側が前方であり、内部空間側が後方であるものとする。また、本実施の形態において、「基礎」とは、建築用語上の「基礎」に限定されず、外壁部材の下部または周辺において空間を有して存在する部材をいう。
【００１８】
外壁１０の第１壁部材１１と第２壁部材１２との間には、防湿のために上下方向に延びる壁内通気路６１が形成されている。壁内通気路６１は、第１壁部材１１と第２壁部材１２との間に形成される空間である。また、基礎１の上面１ａと第１壁部材１１との間には、建物の床下空間に連通する床下通気路６２が形成されている。床下通気路６２は、たとえば、基礎１上に、スペーサーが間隔をおいて配置されることによって形成されている。
【００１９】
本実施の形態において、第２壁部材１２は、外装面材（化粧材）である。なお、第２壁部材１２は、外装面材以外の部材をさらに含んでいてもよい。第１壁部材１１は、たとえば外壁パネルを構成しており、壁内通気路６１に面する面材１３と、面材１３に隣接して配置される断熱材１４と、断熱材１４の下端部を支持するフレーム部材１５とを含む。面材１３は、たとえば、グラスウールボードであってもよいし、合板など構造用面材であってもよい。フレーム部材１５には、後述する固定部材２０を固定するための開口１５ａが設けられていてもよい。断熱材１４よりも内部空間側には、柱（図示せず）が配置されている。
【００２０】
水切取付具２は、第１壁部材１１の下方側に取り付けられ、第１係合部３２，３４を含み、土台水切４を保持する部材である。つまり、水切取付具２は、土台水切４を外壁１０に固定する部材として機能する。水切取付具２は、土台水切４の長手方向両端部に設けられている。
【００２１】
土台水切４は、第１係合部３２，３４に係合する第２係合部５２，５７を含み、水切取付具２に保持されることで、基礎１の縁に沿って配置される。土台水切４は、床下通気路６２への水の浸入を防止するとともに、壁内通気路６１および床下通気路６２の双方に外気を送り込む換気部材として機能する。そのため、土台水切４は、下方より外気を取り入れる外気取入口４０を有している。土台水切４は、たとえば、図３に示されるような所定長さの複数の土台水切４が長手方向に隣接して並べられることによって形成されている。水切取付具２および土台水切４の具体的な形状例については、後述する。
【００２２】
図１，２を参照して、水切取付具２の構造例について説明する。図２は、水切取付具２の斜視図である。
【００２３】
水切取付具２は、第１壁部材１１の下方に固定される固定部材２０と、固定部材２０に設けられ、上下方向に延びて、土台水切４を保持する保持部材３０とを含む。水切取付具２は、たとえば、スチールで形成される。
【００２４】
固定部材２０は、第１壁部材１１の下方側において、第２壁部材１２の後方から内部空間側に向かって延び、フレーム部材１５の下方に沿って取り付けられる水平部２１を有する。水平部２１には、平面視矩形形状の開口２３が設けられ、開口２３の側壁には、掛止部２４が設けられていてもよい。掛止部２４がフレーム部材１５の開口１５ａに挿入され、フレーム部材１５を挟み込むことにより、固定部材２０は、第１壁部材１１の下方側に固定される。水平部２１の第２壁部材１２側には、水平部２１から下方に折れ曲がって形成される側面部２７が設けられていてもよい。このとき、側面部２７と第２壁部材１２との間には、隙間が設けられている。なお、固定部材２０は、掛止部２４に代えて、たとえば、樹脂ピン、ボルトやナットによりフレーム部材１５と固定されてもよい。また、水平部２１には、凹部２２が設けられていてもよい。また、水平部２１は、第１壁部材１１と間隔をあけて取り付けられていてもよい。
【００２５】
保持部材３０は、第２壁部材１２側に配置される前方保持部３１と、前方保持部３１と間隔をあけて設けられる後方保持部３３とを有する。前方保持部３１と後方保持部３３とは、上下方向に略平行に延びて、土台水切４と係合する。前方保持部３１の上端部と後方保持部３３の上端部とは、上方部３５により連結されている。前方保持部３１は、土台水切４の第２係合部５２を下方から支持し、土台水切４に向かって延びる第１係合部３２を含む。後方保持部３３は、土台水切４の第２係合部５７を下方から支持し、土台水切４に向かって延びる第１係合部３４を含む。第１係合部３２，３４は、爪形状である。
【００２６】
固定部材２０と保持部材３０とは、たとえば、ネジ２５で連結されていてもよい。具体的には、固定部材２０の凹部２２と保持部材３０の上方部３５とは当接し、ネジ２５で連結されている。凹部２２は、水平部２１より下方に凹んでいる形状であるため、ネジ２５は、凹部２２の外面より上方に飛び出しているものの、水平部２１の外面より上方に飛び出さず、面材１３に当接しない。水平部２１上に凸部２６が設けられることにより、固定部材２０は、フレーム部材１５の開口１５ａ内に位置決めされる。
【００２７】
図１，３〜８を参照して、土台水切４の構造例について説明する。図３は、土台水切４を取り出して示す斜視図であり、図４は、土台水切４の一部分を拡大して示す斜視図であり、図５は、図３の矢印Ｖで示す方向から見た正面図であり、図６は、図３の矢印ＶＩで示す方向から見た平面図であり、図７は、図４の矢印ＶＩＩで示す方向から見た断面図であり、図８は、図４の矢印ＶＩＩＩで示す方向から見た断面図である。
【００２８】
土台水切４は、たとえば、スチールで形成され、水切取付具２に保持されることで、基礎１の縁に沿って配置される。土台水切４は、上下方向に延び、外気取入口４０を有する前方立壁部４１と、前方立壁部４１の下端部より第２壁部材１２側に延びる前方底壁部４３と、前方立壁部４１よりも第１壁部材１１側において、前方立壁部４１と略平行に延びる後方立壁部４２と、前方立壁部４１の上端部と後方立壁部４２の上端部とを連結して延びる上壁部４４とを含む。
【００２９】
前方立壁部４１は、第２壁部材１２の裏面において上下方向に延びている。前方立壁部４１に設けられている外気取入口４０は、たとえば、通気性を有するメッシュ材で覆われている。前方底壁部４３は、前方立壁部４１の下端部より前方に位置し、略水平方向に配置されている。なお、前方底壁部４３は、前方底壁部４３の前方端部より上方に立ち上がり、第２壁部材１２の下端部裏面に当接する側壁部４６を含んでもよい。さらに、前方底壁部４３は、第２壁部材１２の下端面１２ａまで延びて配置されていてもよい。
【００３０】
後方立壁部４２は、前方立壁部４１よりも後方において、前方立壁部４１と略平行に配置されている。後方立壁部４２は、基礎１の上面１ａよりも下方位置にまで延びていることが望ましい。後方立壁部４２は、後方立壁部４２の下端部より後方へ向かって斜め上方に延びている後方底壁部４５を含んでもよい。後方底壁部４５上には、後方底壁部４５の後方端部と基礎１の側面との隙間からの水の浸入を防止するために、乾式シール材７１が配置される。なお、後方底壁部４５の後方端部は、基礎１の側面と間隔をあけて設けられていてもよい。また、後方底壁部４５の後方端部から上方に立ち上がり、基礎１の側面に当接する側壁部（図示せず）がさらに設けられてもよい。
【００３１】
上壁部４４は、前方立壁部４１の上端部と後方立壁部４２の上端部とを連結している。上壁部４４は、面材１３の下方に配置されている。上壁部４４は、前方立壁部４１の上端部と後方立壁部４２の上端部との間を略水平方向に延びていることが望ましい。
【００３２】
土台水切４は、前方立壁部４１、後方立壁部４２および上壁部４４の一部を覆う覆い部５０をさらに備える。覆い部５０は、断面視コの字形状であり、前方立壁部４１の上方に配置される前方立壁部５１と、後方立壁部４２の上方に配置される後方立壁部５６と、上壁部４４の上方に配置される上壁部５５とを備える。
【００３３】
図６〜８を特に参照して、覆い部５０の前方立壁部５１は、水切取付具２の前方保持部３１に向かって突出し、水切取付具２に向かって延びる第２係合部５２を含む。後方立壁部５６は、水切取付具２の後方保持部３３に向かって突出しする突出部であり、水切取付具２に向かって延びる第２係合部５７を含む。第２係合部５２，５７は、断面視八の字の爪形状であって、第２係合部５２は、前方立壁部５１から外方に向かって折れ曲がる形状であり、第２係合部５７は、後方立壁部５６から外方に向かって折れ曲がる形状である。つまり、第２係合部５２は、前方立壁部５１の外面より外方に突出し、第２係合部５７は、前方立壁部５１の外面より外方に突出している。
【００３４】
図４，５，７を特に参照して、覆い部５０の前方立壁部５１の長手方向の中央部には、覆い部５０を前方立壁部４１の外面に沿って取り付ける取付部５３が設けられていてもよい。後方立壁部５６の長手方向の中央部にも、覆い部５０を前方立壁部４２の外面に沿って取り付ける取付部５８が設けられる。覆い部５０は、取付部５３に設けられるネジ５４により土台水切４上に取り付けられてもよいし、接着材などで土台水切４上に取り付けられてもよい。
【００３５】
次に、図９を参照して、土台水切４を水切取付具２に取り付ける方法について説明する。図９は、土台水切４を水切取付具２に取り付ける方法を示す模式図である。
【００３６】
水切取付具２は、図１に示すように、あらかじめフレーム部材１５に固定されており、第１壁部材１１の下方に位置している。このような水切取付具２の保持部材３０に向かって土台水切４を下方から押し込むと、土台水切４の第２係合部５２，５７は、第１係合部３２，３４の傾斜に沿って、内側に弾性変形する。第２係合部５２，５７が第１係合部３２，３４の傾斜部分を越えると、第２係合部５２，５７は、元の形状に戻り、第１係合部３２，３４の上方に配置される。すなわち、第２係合部５２，５７が第１係合部３２，３４の下方位置より上方位置へ移動することにより、第１係合部３２，３４と第２係合部５２，５７は当接し、係合状態となる。
【００３７】
これにより、図１に示すように、第２係合部５２は、第１係合部３２と係合し、第１係合部３２により下方から支持される。図９を参照して、第２係合部５７は、第１係合部３４と上下方向において係合し、第１係合部３４により下方から支持される。第２係合部５２，５７の間の幅Ｌ２は、第１係合部３２，３４の間の幅Ｌ１よりも大きいため、第２係合部５２は第１係合部３２と噛み合い、第２係合部５７は第１係合部３４と噛み合う。つまり、第１係合部３２，３４と第２係合部５２，５７とは土台水切４の延在方向において、少なくとも一部が重なる位置では係合状態となり、土台水切４が水切取付具２に保持され、土台水切４は、水切取付具２により下方への落下を防止するように保持される。
【００３８】
このような形状とされることにより、あらかじめ第１壁部材１１に取り付けられている水切取付具２に、土台水切４を下方から差し込むだけでよいため、簡易な方法で土台水切４を基礎１の縁に沿って配置することができ、施工時間を短縮することができる。さらに、水切取付具２に土台水切４を下方から差し込むという単純な作業で土台水切４を外壁１０に固定することができるため、別途ネジやボルトは必要ではなく、施工者の負担を軽減することが可能である。このように、施工時間を短縮し、施工者の負担を軽減することができるため、足場の最下段での作業となる場合でも、容易に施工が可能である。
【００３９】
土台水切４を水切取付具２から取り外すには、土台水切４を長手方向にスライドさせる。これにより、土台水切４の延在方向において、第１係合部３２，３４と第２係合部５２，５７とが重ならない位置となり非係合状態となる。つまり、土台水切４の覆い部５０と水切取付具２の保持部材３０とが係合しない状態となる。これにより、土台水切４が水切取付具２に、保持されない状態となる。土台水切４を長手方向にスライドさせるだけで、水切取付具２から土台水切４を取り外すことができるため、施工が容易である。
【００４０】
なお、上記実施の形態において、土台水切４は、前方立壁部４１、後方立壁部４２および上壁部４４の一部を覆う覆い部５０を備え、覆い部５０に第２係合部５２，５７が設けられるとした。しかし、土台水切４の前方立壁部４１が、水切取付具２の前方保持部３１に向かって延びる第２係合部５２を含み、後方立壁部４２が、後方保持部３３に向かって延びる第２係合部５７を含んでいれば、覆い部５０は設けられていなくてもよい。また、水切取付具２は、第１係合部３２，３４を有し、覆い部５０は、第２係合部５２，５７を有するとしたが、爪の形状に限定されない。
【００４１】
この場合において、図１０を参照して、水切取付具と土台水切の変形例について説明する。図１０は、水切取付具と土台水切の変形例を示す模式図である。
【００４２】
図１０（Ａ）を参照して、土台水切４Ａの前方立壁部４１Ａは、水切取付具２Ａの前方保持部３１Ａに向かって突出する第２係合部５２Ａを含む。後方立壁部４２Ａは、水切取付具２Ａの後方保持部３３Ａに向かって突出する第２係合部５７Ａを含む。さらに、水切取付具２Ａの前方保持部３１Ａは、土台水切４Ａの第２係合部５２Ａを下方から支持する第１係合部３４Ａを含む。後方保持部３３Ａは、土台水切４Ａの第２係合部５７Ａを下方から支持する第１係合部３２Ａを含む。
【００４３】
具体的には、土台水切４Ａの第２係合部５２Ａ，５７Ａは、たとえばプレス成形により外方に折り曲げて加工されている。水切取付具２Ａの第１係合部３２Ａ，３４Ａは、たとえばプレス成形により内方に折り曲げて加工されている。これにより、第２係合部５２Ａ，５７Ａの間の幅Ｌ２は、第１係合部３２Ａ，３４Ａの間の幅Ｌ１よりも大きく形成される。土台水切４Ａの第２係合部５２Ａ，５７Ａを変形させて水切取付具２Ａの第１係合部３２Ａ，３４Ａの間に挿入すると、第２係合部５２Ａ，５７Ａは、第１係合部３２Ａ，３４Ａにより支持される。よって、土台水切４Ａは、水切取付具２Ａに保持される。土台水切４Ａは、水切取付具２Ａに対して下方から嵌め込まれるだけでなく、土台水切４Ａを長手方向にスライドさせることにより、水切取付具２Ａに保持されてもよい。
【００４４】
図１０（Ｂ）を参照して、土台水切４Ｂの第２係合部５２Ｂ，５７Ｂは、外方に向かって肉厚に形成されている、水切取付具２Ｂの第１係合部３２Ｂ，３４Ｂは、内方に向かって肉厚に形成されている。これにより、第２係合部５２Ｂ，５７Ｂの間の幅Ｌ２は、第１係合部３２Ｂ，３４Ｂの間の幅Ｌ１よりも大きく形成される。このような形状とされることにより、第２係合部５２Ｂは、第１係合部３２Ｂにより下方から保持され、第２係合部５７Ｂは、第１係合部３４Ｂにより下方から保持される。以上より、図１０に示される形状とされることにより、覆い部５０を設けない分だけ、上記実施の形態よりも部品点数を少なくすることができる。
【００４５】
図１１は、水切取付具の変形例を示す模式断面図である。図１１は、水切取付具２Ｃの保持部材３０Ｃ以外の形状は、本実施の形態と同一である。図１１を参照して、水切取付具２Ｃの保持部材３０Ｃは、前方保持部３１Ｃと、後方保持部３３Ｃとを有し、前方保持部３１Ｃは、土台水切４の前方立壁部４１に突出する凸部３５を含み、後方保持部３３Ｃは、土台水切４の後方立壁部４２の突出する凸部３６を含む。この凸部３５，３６により、水切取付具２Ｃに保持させた土台水切４の上方向の移動を阻止することができる。
【００４６】
また、上記実施の形態において、固定部材２０と保持部材３０とは、別部材で形成され、ネジで固定されるとしたが、これに限定されない。固定部材２０と保持部材３０とは、一体的に成形されていてもよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図され
る。
【符号の説明】
【００４８】
１  基礎、２  水切取付具、４  土台水切、１０  外壁、１１  第１壁部材、１２  第２壁部材、１３  面材、１４  断熱材、１５  フレーム部材、１５ａ  開口、２０  固定部材、２１  水平部、２２  凹部、２３  開口、２４  掛止部、２５  ネジ、２６  凸部、２７  側面部、３０  保持部材、３１  前方保持部、３２  第１係合部、３３  後方保持部、３４  第１係合部、３５，３６  凸部、４０  外気取入口、４１  前方立壁部、４２  後方立壁部、４３  前方底壁部、４４  上壁部、４５  後方底壁部、４６  側壁部、５０  覆い部、５１  前方立壁部、５２  第２係合部、５３  取付部、５４  ネジ、５５  上壁部、５６  後方立壁部、５７  第２係合部、５８  取付部、６１  壁内通気路、６２  床下通気路、７１  乾式シール材。
【図１】
0006613435.tif 000002
【図２】
0006613435.tif 000003
【図３】
0006613435.tif 000004
【図４】
0006613435.tif 000005
【図５】
0006613435.tif 000006
【図６】
0006613435.tif 000007
【図７】
0006613435.tif 000008
【図８】
0006613435.tif 000009
【図９】
0006613435.tif 000010
【図１０】
0006613435.tif 000011
【図１１】
0006613435.tif 000012